(57)【要約】【課題】個人の好み、場所、ファッション等のユーザの嗜好に合わせた色の表示を液晶構造体に行わせることができる電子サングラスを提供する。【解決手段】ＲＧＢ用の液晶が積層された一対の液晶構造体２Ａ、２Ａを用いた電子サングラス１であって、予めユーザの所望する色を有した被写体を撮像し、この撮像して得られた撮像光を３原色光に色分離した後、光電変換して３原色信号を色信号生成部５で生成する。この後、予め３原色信号から３原色補正信号を生成する変換を行うためにパラメータ設定部６３で設定されたパラメータと、色信号生成部５で生成された３原色信号とが関係づけられた補正テーブルを用いて、補正テーブル演算部６１で演算を行って、各色用補正信号を得、この各色用補正信号から駆動電圧供給部６２で液晶構造体２Ａの各色用透明電極に供給する駆動電圧を生成する。そして、この駆動電圧に応じた各色用液晶の透過率又は反射率を変化させる。【選択図】      図１
2008181064.tif 000002
【特許請求の範囲】
【請求項１】
一対のレンズ保持部を有する眼鏡本体フレームと、
前記眼鏡本体フレームの両端に設けられた一対の耳かけ用フレーム部と、
前記一対のレンズ保持部に取り付けられ、基板上に一対の赤色用透明電極に挟持された赤色用液晶、一対の緑色用透明電極に挟持された緑色用液晶及び一対の青色用透明電極に挟持された青色用液晶がそれぞれ積層された液晶構造体と、を有する電子サングラスであって、
予めユーザの所望する色を有した被写体を撮像し、この撮像して得られた撮像光を３原色光に色分離した後、光電変換して３原色信号を生成するための、集光レンズ、色フィルタ及び光電変換部を含んで構成される色信号生成部と、
ユーザ操作によりユーザの所望に応じて前記被写体が用意される前に、予め前記３原色信号から３原色補正信号を生成する変換を行うためのパラメータを設定するパラメータ設定部と、
前記パラメータと前記３原色信号とから前記３原色補正信号を求めるための補正テーブルを有し、この補正テーブルを用いた演算を行って、前記色信号生成部で生成された前記３原色信号から前記３原色補正信号を生成する補正テーブル演算部と、
前記補正テーブル演算部で生成された前記３原色補正信号を前記液晶構造体の各色用電極に駆動電圧として供給するための駆動電圧供給部と、の電気回路部を前記眼鏡本体フレーム又は前記耳かけ用フレーム部に一体に設け、
前記液晶構造体は、前記各色用透明電極それぞれへの前記駆動電圧の供給の有無又は前記各色電極間の電圧レベルに応じて各色光の透過率又は反射率を変化させる構成であることを特徴とする電子サングラス。
【発明の詳細な説明】
【技術分野】
【０００１】
本発明は、個人の好み、場所、ファッション等のユーザの嗜好に合わせた色の着色を行う電子サングラスに関するものである。
【背景技術】
【０００２】
種々の色のサングラスが市販されており、これらの中から選択することにより、個人の好み、場所、ファッション等のユーザの嗜好にあったサングラスによる個人のファッションとしていた。
サングラスとしては、レンズ部分に液晶を用い、その液晶の光に対する透過率を変えることによって、単一色の入射光に対して、色の濃淡を変化させるものもあり、サングラスによるファッションも多様化していた。
図９は特許文献１に記載されている従来の電子サングラスを示す斜視図である。
【０００３】
図９に示すように、従来の電子サングラス１００は、一対のレンズ保持部１０１、１０１を有する眼鏡本体フレーム部１０２と、この眼鏡本体フレーム部１０２の両端に一体的に取り付けられた一対の耳かけ用フレーム部１０３、１０３と、眼鏡本体フレーム部１０２の上部に取り付けられた太陽電池１０４と、一対のレンズ保持部１０１、１０１に取り付けられ、太陽電池１０４で発生した電圧により単一色の入射光に対して透過率が変化する一対の液晶構造体１０１Ａ、１０１Ａと、から構成され、太陽電池１０４で発生した電圧を、一対の液晶構造体１０１Ａ、１０１Ａに供給して、一対の液晶構造体１０１Ａ、１０１Ａの透過率を変え、一対の液晶構造体１０１Ａ、１０１Ａを透過する光の量を変えることにより、ユーザの嗜好に合わせるものがあった。
【０００４】
このような電子サングラス１００に限らず、通常のホトクロミックを利用したサングラスであっても単一色の入射光に対して透過率を高くしたり、低くしたりするものもあった。
【特許文献１】特開平６−４３４０６号公報
【発明の開示】
【発明が解決しようとする課題】
【０００５】
しかしながら、上述したようなサングラスでは、単一色の入射光の透過率を変更させるのみであり、個人の好み、場所、ファッション等のユーザの嗜好に合わせた多様な色に変えるサングラスはなかった。
【０００６】
そこで、本発明は、上記のような問題点を解消するもので、個人の好み、場所、ファッション等のユーザの嗜好に合わせた多様な色表示を行える電子サングラスを提供することを目的とするものである。
【課題を解決するための手段】
【０００７】
本願請求項に係る発明は、上記課題を解決するために、以下の構成よりなる。
すなわち、
一対のレンズ保持部を有する眼鏡本体フレームと、前記眼鏡本体フレームの両端に設けられた一対の耳かけ用フレーム部と、前記一対のレンズ保持部に取り付けられ、基板上に一対の赤色用透明電極に挟持された赤色用液晶、一対の緑色用透明電極に挟持された緑色用液晶及び一対の青色用透明電極に挟持された青色用液晶がそれぞれ積層された液晶構造体と、を有する電子サングラスであって、予めユーザの所望する色を有した被写体を撮像し、この撮像して得られた撮像光を３原色光に色分離した後、光電変換して３原色信号を生成するための、集光レンズ、色フィルタ及び光電変換部を含んで構成される色信号生成部と、ユーザ操作によりユーザの所望に応じて前記被写体が用意される前に、予め前記３原色信号から３原色補正信号を生成する変換を行うためのパラメータを設定するパラメータ設定部と、前記パラメータと前記３原色信号とから前記３原色補正信号を求めるための補正テーブルを有し、この補正テーブルを用いた演算を行って、前記色信号生成部で生成された前記３原色信号から前記３原色補正信号を生成する補正テーブル演算部と、前記補正テーブル演算部で生成された前記３原色補正信号を前記液晶構造体の各色用電極に駆動電圧として供給するための駆動電圧生成部と、の電気回路部を前記眼鏡本体フレーム又は前記耳かけ用フレーム部に一体に設け、前記液晶構造体は、前記各色用透明電極それぞれへの前記駆動電圧の供給の有無又は前記各色電極間の電圧レベルに応じて各色光の透過率又は反射率を変化させる構成であることを特徴とする電子サングラス。
【発明の効果】
【０００８】
本発明の電子サングラスによれば、予めユーザの所望する色を有した被写体を撮像し、この撮像して得られた撮像光を３原色光に色分離した後、光電変換して３原色信号を生成するための、集光レンズ、色フィルタ及び光電変換部を含んで構成される色信号生成部と、ユーザ操作によりユーザの所望に応じて前記被写体が用意される前に、予め前記３原色信号から３原色補正信号を生成する変換を行うためのパラメータを設定するパラメータ設定部と、前記パラメータと前記３原色信号とから前記３原色補正信号を求めるための補正テーブルを有し、この補正テーブルを用いた演算を行って、前記色信号生成部で生成された前記３原色信号から前記３原色補正信号を生成する補正テーブル演算部と、前記補正テーブル演算部で生成された前記３原色補正信号を前記液晶構造体の各色用電極に駆動電圧として供給するための駆動電圧生成部と、の電気回路部を前記眼鏡本体フレーム又は前記耳かけ用フレーム部に一体に設け、前記液晶構造体は、前記各色用透明電極それぞれへの前記駆動電圧の供給の有無又は前記各色電極間の電圧レベルに応じて各色光の透過率又は反射率を変化させる構成であるので、被写体を撮影して得られた色信号に基づいて、ユーザの嗜好に合わせた色の表示を液晶構造体に行わせることにより、個人の好み、場所、ファッション等のユーザの嗜好に合わせた色の表示を液晶構造体に行わせることができる。
【発明を実施するための最良の形態】
【０００９】
以下に、本発明の実施形態に係る電子サングラスについて、図１〜図８を用いて説明する。
図１は、本発明の実施形態に係る電子サングラスの外観を示す斜視図である。
図２は、液晶構造体の構成を示す断面図である。
図３は、コレステリック液晶の光透過及び光反射特性を説明するための図である。
図４は、コレステリック液晶の光透過性を示す図である。
図５は、各色用液晶の反射光分布特性を示す図である。
図６は、色信号生成部を示すブロック図である。
図７は、補正信号生成部を示すブロック図である。
図８は、補正テーブルを示す図である。
【００１０】
図１に示すように、本発明の実施形態に係る電子サングラス１は、一対のレンズ保持部２、２を有する眼鏡本体フレーム部３と、この眼鏡本体フレーム部３の両側部に取り付けられた一対の耳かけ用フレーム部４、４と、眼鏡本体フレーム部３の一対のレンズ保持部２、２に取り付けられた一対の液晶構造体２Ａ、２Ａと、被写体から発する反射光を３原色光に色分離した後、光電変換して得られた各色用信号と予めユーザによってパラメータ設定部６３で設定されたパラメータとの関係を有した補正テーブルを用ることにより演算を行って、各色用補正信号を生成して、この各色用補正信号に基づいて、一対の液晶構造体２Ａ、２Ａの各色用透明電極に駆動電圧を供給する電気回路部Ｍとから構成されている。
【００１１】
電気回路部Ｍは、眼鏡本体フレーム部３の上方中央部に設けられ、集光レンズ、色フィルタ、光電変換部、及びＡ／Ｄ変換器を含んで構成されると共に、色補正の対象となる被写体５０（図６）からの撮像光を各色光に色分離して３原色信号を生成する色信号生成部５と、眼鏡本体フレーム部３の上端部に形成され、色信号生成部５で生成された３原色信号から各色用補正信号を生成し、この各色用補正信号を一対の液晶構造体２Ａ、２Ａの各色用の透明電極に供給する補正信号生成部６と、眼鏡本体フレーム部３の上端部に補正信号生成部６に隣接するようにして取り付けられ、色信号生成部５で生成された３原色信号を補正信号生成部６に転送するスイッチＳＷ７と、から構成されている。
なお、色信号生成部５と補正信号生成部６とは、眼鏡本体フレーム部３に設けられているが、フレームデザインによっては耳かけ用フレーム部４，４に振り分けて設けられるようにしても良い。
【００１２】
以下に、各構成部の詳細について、図面を用いて説明する。
まずは、液晶構造体２Ａについて図２を用いて説明する。
図２に示すように、液晶構造体２Ａは、ガラス基板２２の下面に反射防止膜２１が形成され、その上面には、赤色用透明電極２３が形成されている。更に、この液晶構造体２Ａは、赤色用透明電極（Ｒ色用透明電極）２３の表示領域を取り囲むようにして保持部材２４が形成され、この保持部材２４上には赤色用透明電極２６が形成されている。そして、赤色用透明電極２３と赤色用透明電極２６との間の間隙には、赤色光を反射及び透過するための赤色用液晶（Ｒ色用液晶）２５が封入されている。
【００１３】
赤色用透明電極２６上には、ガラス基板２７と、緑色用透明電極（Ｇ色用透明電極）２８が順次形成されている。緑色用透明電極２８の表示領域を取り囲むようにして保持部材２９が形成され、この保持部材２９上には緑色用透明電極３１が形成されている。
そして、緑色用透明電極２８と緑色用透明電極３１との間の間隙には、緑色光を反射及び透過するための緑色用液晶（Ｇ色用液晶）３０が封入されている。
【００１４】
上記したと同様に、緑色用透明電極３１上には、ガラス基板３２と、青色用透明電極（Ｂ色用透明電極）３３が順次形成されている。青色用透明電極３４の表示領域を取り囲むようにして保持部材３４が形成され、この保持部材３４上には青色用透明電極３６が形成されている。
そして、青色用透明電極３４と青色用透明電極３６との間の間隙には、青色光を反射及び透過するための青色用液晶（Ｂ色用液晶）３５が封入されている。
青色用透明電極３６上には、ガラス基板３７と反射防止膜３８とが順次積層されている。
【００１５】
赤色用液晶２５は、赤色用透明電極２３、２６間に電圧が印加されていない時には、赤色光を反射すると共に、それ以外他の色光を透過し、電圧が印加された時には、その電圧のレベルに応じて赤色光を透過する割合が変化し、それ以外の色光を透過するものである。
緑色用液晶３０及び青色用液晶３５も、赤色用液晶の場合と同様な作用を有しているものである。
【００１６】
ここで、赤色用液晶２５、緑色用液晶３０、青色用液晶３５に用いられるコレステリック液晶の波長特性について図３乃至図５を用いて説明する。
図３に示すように、コレステリック液晶は、液晶分子が螺旋構造を有し、電圧を印加しない時に、入射光（可視光：波長範囲４５０ｎｍ〜７５０ｎｍ）に含まれる色光（例えばＲ（赤色），Ｇ（緑色），Ｂ（青色））の波長と一致する色光を反射させ、残りの光を透過させるように平均屈折率と螺旋ピッチとが選定されたものである。
光がコレステリック液晶に入射した場合、このコレステリック液晶で反射される光の波長λｏは、コレステリック液晶の平均屈折率をｎｃｈ、螺旋ピッチをｐとするとき、
λｏ＝ｎｃｈ×ｐ  ・・・（１）
で表わされる。
【００１７】
そして、図４に示すように、螺旋状の液晶に液晶分子が一定方向に配列される大きさの電圧を供給すると入射光は反射されずに全て透過光となる。
各色用の液晶に電圧を印加しない時には、Ｒ色用液晶２５、Ｇ色用液晶３０、Ｂ色用液晶３５は、図５に示すＲ、Ｇ、Ｂの反射光分光特性を有するように、（１）式のｎｃｈとｐが選定される。入射光に対する反射光の割合は、Ｒ色用液晶２５、Ｇ色用液晶３０、Ｂ色用液晶３５に印加する電圧のレベルにより制御される。
コレステリック液晶は、入射した光を、各色用の液晶で所定の偏光面を有した反射光として取り出せるので、偏光板が不要である。
【００１８】
次に、色信号生成部５について図６を用いて説明する。
図６に示すように、色信号生成部５は、入射光を被写体５０に照射した時に、被写体５０で反射される反射光５０aを集光する集光レンズ５１と、この集光レンズ５１で集光された光を透過して、図５に示すＲ、Ｇ、Ｂの反射光分光特性を有するＲ（赤色）、Ｇ（緑色）、Ｂ（青色）の色光に分離する色フィルタ５２と、この色フィルタ５２で分離されたそれぞれの色光を受光して光電変換し、各色光に対応した色信号を生成する受光素子ＰＤｒ、ＰＤｇ、ＰＤｂからなる光電変換部５３と、光電変換部５３で生成された各色光に対応した色信号をデジタル色信号Ｖｒ、Ｖｇ、Ｖｂに変換するＡ／Ｄ変換器５４と、から構成される。
【００１９】
次に、補正信号生成部６について図７を用いて説明する。
図７に示すように、補正信号生成部６は、色信号生成部５で生成されたデジタル色信号Ｖｒ、Ｖｇ、ＶｂをスイッチＳＷ７から出力されるＳｗ信号がＯＮの時に記憶する記憶部６０と、記憶部６０に記憶されたデジタル色信号Ｖｒ、Ｖｇ、ＶｂをＳｗ信号がＯＦＦの時に読み出して、デジタル色信号Ｖｒ、Ｖｇ、Ｖｂの補正を行って、液晶構造体２Ａをユーザの所望する色に表示させる各色用補正信号を生成するための補正テーブルを有する補正テーブル演算部６１とから構成されている。
【００２０】
更に、補正信号生成部６は、補正テーブル演算部６１で生成された各色用補正信号に基づいて、液晶構造体２Ａの各色用透明電極に各色用の駆動電圧を供給する駆動電圧供給部６２と、ユーザ操作によりユーザの所望に応じて被写体５０が用意される前に、予め色信号生成部５で生成されたデジタル色信号Ｖｒ、Ｖｇ、Ｖｂから上記した各色用補正信号を生成する変換を行うためのパラメータを設定するパラメータ設定部６３とから構成されている。
【００２１】
次に、補正テーブル演算部６１について図８を用いて説明する。
補正テーブル演算部６１は、図８に示す補正テーブルを有している。
この補正テーブルは、色信号生成部５で生成されたデジタル信号Ｖｒ,Ｖｇ,Ｖｂとパラメータ設定部６３で設定されたパラメータＴｒ０、Ｔｇ０、Ｔｇ１、Ｔｂ１、Ｔｒ２、Ｔｂ２とに基づいて、各色用補正信号を生成するためのテーブルである。
同図中、Ｒ０〜Ｒ３,Ｇ０〜Ｇ３,Ｂ０〜Ｂ３は、各色用補正信号であり、Ｔｒ０、Ｔｇ０、Ｔｇ１、Ｔｂ１、Ｔｒ２、Ｔｂ２は、ユーザが設定するパラメータである。
【００２２】
また、図８に示す補正テーブルは、Ｖｒ＞Ｖｇ＞Ｖｂ、Ｖｇ＞Ｖｂ＞Ｖｒ、Ｖｂ＞Ｖｒ＞Ｖｇ、Ｖｒ＝Ｖｇ＝Ｖｂの各場合に生成する各色用補正信号を示している。
図８においては、Ｖｒ＞Ｖｇ＞Ｖｂの場合には、Ｖｂを最小レベル、Ｖｇ＞Ｖｂ＞Ｖｒの場合には、Ｖｒを最小レベル、Ｖｂ＞Ｖｒ＞Ｖｇの場合には、Ｖｇを最小レベルとしている。パラメータとデジタル色信号がわかれば、この補正テーブルを用いた演算を行うことにより各色用補正信号が得られる。
【００２３】
次に、その動作について説明する。
まず、上述したようにユーザの使用場所やユーザの好みに応じて予めパラメータを設定しておく。
次に、図１に示す電子サングラス１の液晶構造体２Ａの色を変えたい場合には、図６に示す色信号生成部５を、その変化させたい色に対応する色を有する被写体５０に向けると共に、この被写体５０を図示しない照明光により照射しておく。
色信号生成部５は、被写体５０で反射された反射光５０ａを集光レンズ５１で色フィルタ５２に集光した後、Ｒ、Ｇ、Ｂの色光に色分離し、各色光に対応した受光素子ＰＤｒ、ＰＤｇ、ＰＤｂで光電変換して各色信号を生成する。この後、色信号生成部５は、受光素子ＰＤｒ、ＰＤｇ、ＰＤｂで生成された各色信号をＡ／Ｄ変換器５４でデジタル信号に変換してデジタル色信号Ｖｒ、Ｖｇ、Ｖｂを出力する。
【００２４】
次に、スイッチＳＷ７を押下してＳｗ信号をＯＮにし、色信号生成部５から出力されたデジタル色信号Ｖｒ、Ｖｇ、Ｖｂを図７に示す補正信号生成部６の記憶部６０に記憶させる。
【００２５】
次に、スイッチＳＷ７を押下から開放して元の状態に戻して、Ｓｗ信号をＯＦＦする。次に、Ｓｗ信号をＯＮする直前の記憶部６０に記憶されたデジタル色信号Ｖｒ、Ｖｇ、Ｖｂを読み出し、この読み出されたデジタル色信号Ｖｒ、Ｖｇ、Ｖｂと予めパラメータ設定部６３で設定されたパラメータＴｒ０、Ｔｇ０、Ｔｇ１、Ｔｂ１、Ｔｒ２、Ｔｂ２とに基づき、図８に示す補正テーブルを用いて、電子サングラス１の液晶構造体２Ａがユーザの使用場所やユーザの好みの色に合わせて表示できるように、補正テーブル演算部６１で補正して各色用補正信号を生成する。次に、補正テーブル演算部６１で生成された各色用補正信号に基づいて、駆動電圧供給部６２から液晶構造体２Ａの各色用透明電極２３、２６、２８、３１、３３、３６に各色用の駆動電圧を供給する。
【００２６】
すなわち、Ｒ色用の駆動電圧は、Ｒ色用透明電極２３とＲ色用透明電極２６に供給され、Ｇ色用の駆動電圧は、Ｇ色用透明電極２８とＧ色用透明電極３１に供給され、Ｂ色用の駆動電圧は、Ｂ色用透明電極３３とＢ色用透明電極３６に供給される。
【００２７】
この結果、液晶構造体２Ａの各色用の液晶では、それぞれの反射光分光特性に応じた反射及び透過が行われて、液晶構造体２Ａの色が変化するので、個人の好み、場所、ファッション等のユーザの嗜好に合わせた色表示が可能な電子サングラス１が得られる。
【００２８】
次に、電子サングラス１を個人の好み、場所、ファッション等のユーザの嗜好に合わせて使用する場合の具体例について説明する。
【００２９】
＜個人の好みに応じた濃淡の色表示する場合＞
まずは、ユーザの使用場所やユーザの好みに応じて予めパラメータを設定しておく。電子サングラス１の液晶構造体２Ａの色表示を濃くしたい場合には、ユーザが設定する各パラメータを１．０〜１．５の範囲に設定し、電子サングラス１の液晶構造体２Ａの色表示を濃くしたい場合には、各パラメータを０．５〜１．０の範囲に設定する。次に、色信号生成部５をその変化させたい色に対応する被写体５０に向けた状態で、被写体５０に照明光を照射する。
この後、上記した動作と同様な手順を行って、補正テーブル演算部６１で生成された各色用補正信号に基づいて、駆動電圧供給部６２から液晶構造体２Ａの各色用透明電極２３、２６、２８、３１、３３、３６に各色用の駆動電圧を供給して、電子サングラス１の液晶構造体２Ａに濃淡表示を行う。
【００３０】
＜場所に合わせた透過光量にする場合＞
＜個人の好みに応じた濃淡の色表示する場合＞と同様に、ユーザの使用場所やユーザの好みに応じて予めパラメータを設定しておく。電子サングラス１の液晶構造体２Ａの中の表示させたい色を表示させ、その他の色は表示させないで、かつ明るくする場合には、表示させたい液晶の透明電極に駆動電圧を印加せず、その他の色を表示させる液晶の透明電極に大きな電圧を印加して、透明になるようにパラメータを設定することにより可能とすることができる。
【００３１】
以上のように、本発明の実施の形態によれば、電子サングラス１は、予めユーザの所望する色を有した被写体５０を撮像し、この撮像して得られた撮像光を３原色光に色分離した後、光電変換して３原色信号を生成するための集光レンズ５１、色フィルタ５２及び光電変換部５３を含んで構成される色信号生成部５と、ユーザ操作によりユーザの所望に応じて被写体５０が用意される前に、予め３原色信号から３原色補正信号を生成する変換を行うためのパラメータＴｒ０、Ｔｇ０、Ｔｇ１、Ｔｂ１、Ｔｒ２、Ｔｂ２を設定するパラメータ設定部６３と、パラメータＴｒ０、Ｔｇ０、Ｔｇ１、Ｔｂ１、Ｔｒ２、Ｔｂ２と３原色信号とから３原色補正信号を求めるための補正テーブルを有し、この補正テーブルを用いた演算を行って、色信号生成部５で生成された３原色信号から３原色補正信号を生成する補正テーブル演算部６１と、補正テーブル演算部６１で生成された３原色補正信号を液晶構造体２Ａの各色用の透明電極２３、２６、２８、３１、３６に駆動電圧として供給するための駆動電圧供給部６２とを有しているので、各色用液晶の透過率又は反射率を変化させることができるため、個人の好み、場所、ファッション等のユーザの嗜好に合わせた種々の色を表示することが出来る。
【００３２】
なお、眼鏡本体フレーム部３に図示しない携帯用電池或いは太陽電池等を内蔵して置けば、これらの電池から駆動電圧を色信号生成部５や補正信号生成部６に供給することができるので、使用場所で即座にファッション性のある電子サングラス１にすることができる。
また、駆動電圧をコレステリック液晶に印加された際に、コレステリック液晶は、駆動電圧をオフしても、そのままの状態を数秒間程度は保つので、液晶構造体２Ａに表示された色を個人の好み、場所、ファッション等のユーザの嗜好に合わせた色表示状態のままで携帯して持ち歩くことが出来る。
【図面の簡単な説明】
【００３３】
【図１】本発明の実施形態に係る電子サングラスを示す斜視図である。
【図２】液晶構造体の構成を示す断面図である。
【図３】コレステリック液晶の光透過及び光反射特性を説明するための図である。
【図４】コレステリック液晶の光透過性について説明する図である。
【図５】各色用液晶の反射光分布特性を示す図である。
【図６】色信号生成部を示すブロック図である。
【図７】補正信号生成部を示すブロック図である。
【図８】補正テーブルを示す図である。
【図９】従来の電子サングラスを示す図である。
【符号の説明】
【００３４】
１…電子サングラス、２…レンズ保持部、２Ａ…液晶構造体、３…眼鏡本体フレーム部、４…耳かけ用フレーム部、５…色信号生成部、６…補正信号生成部、７…スイッチＳＷ、２１…反射防止膜、２２、３７…ガラス基板、２３…赤色用透明電極、２４…保持部材、２５…赤色用液晶、２６…赤色用透明電極、２７…ガラス基板、２８…緑色用透明電極、２９…保持部材、３０…緑色用液晶、３１…緑色用透明電極、３２…ガラス基板、３３…青色用透明電極、３４…保持部材、３５…青色用液晶、３６…青色用透明電極、３８…反射防止膜、５０…被写体、５０ａ…反射光、５１…集光レンズ、５２…色フィルタ、５３…光電変換部、５４…Ａ／Ｄ変換器、６０…記憶部、６１…補正テーブル演算部、６２…駆動電圧供給部、６３…パラメータ設定部
【図１】
2008181064.tif 000003
【図２】
2008181064.tif 000004
【図３】
2008181064.tif 000005
【図４】
2008181064.tif 000006
【図５】
2008181064.tif 000007
【図６】
2008181064.tif 000008
【図７】
2008181064.tif 000009
【図８】
2008181064.tif 000010
【図９】
2008181064.tif 000011